(57)【要約】本発明は、音響装置の遠隔制御の方法に係る。該装置は、送信システムから音響データストリームを受信する。音響データストリームにおける音響データサンプル（ＡＭ）の形状での制御コマンドは、音響装置に送信される。受信された音響データストリームは、音響装置内又は音響装置上で音響サンプル認識システムを用いて分析される。認識された音響データサンプル（ＡＭ）は、制御データに転換され、制御データに依存して特定の音響装置の構成要素が特定の方法で作動される。
2006524357.tif 000002
【特許請求の範囲】
【請求項１】
送信システムから音響データストリームを受け取る音響装置の遠隔制御の方法であって、
前記音響データストリーム内の制御コマンドが、音響データサンプルの形式で前記音響装置に送信される段階と、
前記受信された音響データストリームが、音響サンプル認識システムを用いて前記音響装置内又は前記音響装置上で分析される段階と、
認識された音響データサンプルが、制御データに転換される段階と、
前記音響装置の特定の構成部品が、前記制御データに依存して、特定の方法で制御される段階と、
を有する方法。
【請求項２】
前記受信された音響データストリームは、まず最初に、特定の主要な音響データサンプルに関して、また、特定の主要な音響データサンプルの認識において、事前に分析され、後続の音響データは、前記制御データに割り当てられた音響データサンプルを決定するよう分析される、
請求項１記載の方法。
【請求項３】
前記受信された音響データストリームは、音声認識システムを用いて分析されることを特徴とする、請求項１又は２いずれかに記載の方法。
【請求項４】
前記制御データに依存して、ユーザ・インターフェースの特定の操作構成要素は、特定の機能を割り当てられることを特徴とする、請求項１乃至３のうちいずれか一項記載の方法。
【請求項５】
前記音響装置の光学的出力装置は、前記制御データに依存して制御されることを特徴とする、請求項１乃至４のうちいずれか一項記載の方法。
【請求項６】
受信された主要な音響データサンプル及び／又は受信された制御データに依存して、前記制御データに対応する前記音響データサンプルは、前記音響データストリームがユーザに送信される前に選別されることを特徴とする、請求項１乃至５のうちいずれか一項記載の方法。
【請求項７】
前記制御コマンドは、まず最初に非音響形式表現に形成され、続いて、音響データサンプルに転換され、音響装置に送信されるべき音響データストリームに組み込まれることを特徴とする、請求項１乃至６のうちいずれか一項記載の方法。
【請求項８】
音響データサンプルの形式で表現される前記制御コマンドは、前記音響データストリームに組み込まれる前に、及び／又は、音響装置に送信される前に、前記音響装置に対応して音響サンプル認識システムを有するシミュレータ設備を用いて確認されることを特徴とする、請求項１乃至７のうちいずれか一項記載の方法。
【請求項９】
音響装置であって、
音響データストリームを受信する受信ユニットと、
前記受信された音響データストリームを分析する音響サンプル認識システムと、
を有し、
前記音響サンプル認識システムは、前記音響データストリーム内で音響データサンプルの形式で制御コマンドを認識するようにされ、前記認識された音響データサンプルを制御データに転換するよう解釈ユニットを有し、前記制御データに依存して特定の方法で前記音響装置の特定の構成部品を作動するようにされる、
音響装置。
【請求項１０】
請求項９記載の音響装置を制御する制御装置であって、
制御コマンドを、非音響形式表現から音響データサンプルに転換する音響シンセサイザと、前記音響データサンプルを音響装置に送信されるべき音響データストリームに組み込む組込み装置とを有する、
制御装置。
【請求項１１】
請求項１記載の音響を制御する制御装置用のシミュレータ設備であって、
前記音響装置に対応する音響サンプル認識システムを有し、音響データサンプルの形式で制御された前記制御コマンドを確認するようにされる、
シミュレータ設備。
【発明の詳細な説明】
【技術分野】
【０００１】
本発明は、音響装置の遠隔制御の方法に係る。「音響装置」は、本明細書内では、一般的には音響コンテンツ提供側から送信装置を介して送信される音響データを受信し、それらをユーザに与えるか、及び／又は、格納又は更に処理することができる、いかなる装置をも意味し、例えば、ラジオ、個別の受信装置を装備されたコンピュータ、又はテレビジョン受像機、ＤＶＤレコーダ、ビデオ・レコーダ等の音響／画像装置である。更に、本発明は、シミュレータ装置と同様のかかる方法に従って音響装置を制御する制御装置に係り、該制御装置は、かかる制御方法に使用され得る。更に、本発明は、個別の音響装置に係り、かかる方法によって遠隔制御され得る。
【背景技術】
【０００２】
多くの場合、送信装置又は音響コンテンツ提供側から少なくとも部分的には、音響装置を遠隔制御できることが望まれる。このようにして、例えば、ローカルに格納された音響データの再生から送信された音響データの再生への装置の切換えがもたらされ得るか、又は、音響装置のディスプレイ上で特定の情報を自動的に再生することが確実にされ得る。この典型的な例は、殆どの自動車用ラジオで最近実行されるＲＤＳ（無線データ・システム）である。これは、受信しているチャンネルの情報又は交通情報をラジオのディスプレイ上に出力するよう使用される。既知の遠隔制御方法では、遠隔制御に必要な制御データは、特別なデータ形式にコード化されている。続いて、コード化された制御データは、特別なデータ・チャンネルを介して音響装置へ送信され、音響装置によって復号され、例えばディスプレイ上にニュースを出力する等のローカルの機能に従って実行される。一例をあげると、かかる方法では、追加のデータ・チャンネルが、音響データが送信される音響チャンネルのほかに必要とされる。他の例では、制御データは特定の形式でコード化されなければならない。従って、かかる目的に対する特別な訓練を受けていない音響提供側の人間は、適切なコード化装置がなくては所望の遠隔制御を実行できない。
【発明の開示】
【発明が解決しようとする課題】
【０００３】
本発明は、代替となる、冒頭で記述した種類の音響装置に対する簡易でコスト効率のよい遠隔制御方法を与えることを目的とする。
【課題を解決するための手段】
【０００４】
かかる目的は、装置に送信された音響データストリーム内の音響データサンプルの形状で制御コマンドが音響装置に送信される、音響装置の遠隔制御の方法によって達成される。続いて、受信した音響データストリームは、音響サンプル認識システムを用いて音響装置内で分析され、認識された音響データサンプルは、制御データに転換される。最後に、制御データに依存して、音響装置の特定の構成部品は、ローカルの作用は、を実行するよう特定の方法で導かれる。「制御コマンド」という用語は、複数のサブコマンドを有する制御コマンド・シーケンスとしてここでは理解されるべきである。
【０００５】
適切な音響装置は、かかる方法によって制御可能であり、音響データストリームの受信ユニットに加えて、音響データストリーム内の音響データサンプルの形式の制御コマンドを認識するよう、受信した音響ストリームの分析をする音響サンプル認識システムを有さなければならない。かかる音響サンプル認識システムは、制御データにおいて認識された音声データサンプルの転換をする適切な解釈ユニットを有さなければならない。制御データに依存して、音響装置の特定な構成部品を制御するようにされる。
【０００６】
本発明は、非常に簡易な方法で、いずれの音響チャンネルをも介して遠隔位置から音響装置の異なる機能を操作することを可能にする。個別のデータ・チャンネルは必要とされない。従って、制御方法は比較的コスト効率がよい。しかしながら、特に可能な制御コマンドの数が制限されている場合に、簡易なシステムで十分であることが多い音響装置の側で、適切な音響サンプル認識システムのみが要求される。
【０００７】
従属請求項は、本発明に対して特に有利な設計及び修正を有する。
【０００８】
音響サンプル認識システムの（コンピュータの）経費を可能な限り低く抑えるために、受信された音響データストリームがまず最初に、特定の重要な音響データサンプルに関して事前分析をされることが、請求項２に提案される。特定の重要な音響データサンプルの認識のみがされると、続いて後続の音響データがより正確に分析される。音響サンプル認識システムは、望ましくは二段階構成を有し得る。該段階では、音響サンプル認識システムの一部は、事前分析のみを実行し、入ってくる音響データを音響サンプル認識システムに与えられた非常に限られた数の可能な重要な音響データサンプルと比較する。かかる重要な音声データサンプルの認識のみがされるのは、作動された音響サンプル認識システムの第２の段階である。第２の段階は、音響データストリームのより費用がかかる分析を実施する。望ましくは、制御コマンドに応答する音響データサンプルは、再度、適切な音響データサンプルで閉じられるため、装置は、全ての制御データが認識されているか否かを登録し得、音響サンプル認識システムの第２のより費用がかかる段階は再び停止され得るようにされる。
【０００９】
原理上は、音響データサンプルは、音声、音楽、純音、雑音等のいずれの音響データも有し得る。しかしながら、特に望ましい実施例では、音声認識システムは、音響サンプル認識システムとして使用される。音響データサンプルは、単純な音声コマンド又は文章であってよく、音声認識システムによって認識され、続いてそれらから制御データを抽出するよう解釈され、それによって音響装置の構成部品が所望のローカルの作用を実行するよう操作され得る。かかるシステムの利点は、一例として、満足のゆく質を有する適切な音声認識システムが既に入手可能なことである。他の例は、自然言語を使用するにあたり装置を遠隔制御するよう特定のコード化が必要ないことである。従って、ユーザ側の人間が、プログラム・モデレータ、ニュース・リーダ等の特別な技術的技能が無くても、所望の方法で音響装置を使用することが可能である。
【００１０】
本発明に従った方法によって、特には音響コンテンツの提供側である送信側は、関係する制御作用が音響装置によって許可又は支持される限り、音響装置に対して望ましい制御を有することが出来る。例えば、ユーザ・インターフェイスの特定の操作構成要素は、計画された制御コマンドに依存して、特定の機能を割り当てられ得る。即ち、装置の特定の機能キー又はソフトキーは、所望のようにプログラムされ得る。更に、音響装置の光学的出力設備、即ちＬＥＤディスプレイ等は、制御コマンドに依存して、ユーザに視覚形状でいずれの所望の情報も与えるよう、動かされ得る。
【００１１】
望ましくは、音響データサンプルは、制御データに対応し、受信した主要な音響データサンプル、及び／又は、残りの音響データストリームと共通する受信した制御データに依存して、ユーザに対して出力されたりのちに使用するようローカルに格納されることはないが、音響データストリームから予め選別される。かかる選別機能のスイッチはオフにされ得ることが望ましい。このように、音響データサンプルは、音響データサンプルの種類に依存して、ともに出力又は除去され得る。ここではまた、制御コマンドの送信が自然言語で行なわれる前述の望ましい実施例で適切な形状でユーザに音声コマンドを出力することが望ましくあり得る。例えば、表示された情報は、追加の音声出力を有し得るか、又は、ユーザは、ソフトキーのプログラミング等の遠隔制御を介してもたらされたローカルな作用についての情報を受け得る。
【００１２】
送信側、例えば音響コンテンツ提供側の場合は、制御コマンドは、自然言語であれば、マイクロフォン等の適切な音声入力装置を用いて入力され得、送信されるべき音響データストリームに組み込まれる。故に、制御コマンドは、特定のプログラムのコンテンツを作成する時点で直接吹き込まれ得る。
【００１３】
あるいは、制御コマンドは、まず最初に非音響表現で形成され得、続いて音響データサンプルに転換される。続いて、これらの音響データサンプルは、音響装置に送信されるべき音響データストリームに組み込まれ得る。音響装置の遠隔制御用の制御装置は、適切な音響シンセサイザを指し、非音響形式の制御コマンドを、音響データサンプルに転換するようにされる。かかる音響データシンセサイザは、望ましくは、例えばコンピュータで実行されるソフトウェア・モジュールであり得る。
【００１４】
非音響表現は、例えばプログラミング言語でのコマンドであり得る。加えて、制御装置は、音響データサンプルを送信されるべき音響データストリームに組み込む組込み設備を有する。
【００１５】
特定の音響データサンプルの受信に関する音響装置の動きは、原理的に音響データサンプルの生成の時点に、送信側、即ち音響データが最初に送られる音響コンテンツ提供側で随時試験され得る。しかしながら、望ましくは、制御装置は、特別なシミュレータ設備を有し、例えば、音響装置に対応して音響サンプル認識システムを有するソフトウェア・モジュールの形式で、音響データサンプルの形式で存在する制御データを確認するようにされる。かかるシミュレータ設備は、特には、音響データストリームで自然言語制御コマンドとしてマイクロフォンに吹き込まれた文章の効果を音響装置上で確認するよう、使用され得る。かかるシミュレータ設備の連続的且つ正確な使用中、更に、可能である。更に、音響データサンプルが誤った解釈をしないようにすることが可能であり、故に遠隔制御が誤って機能することを防ぐことができる。
【発明を実施するための最良の形態】
【００１６】
本発明のこれらの及び他の面は、添付の図を参照して明らかに及び説明されるであろう。
【００１７】
図１中の音響装置は、例えば通常のラジオ・システムである送信システム（図示せず）によって送信された音響データストリームＡを受信する受信ユニット６を図示する。ラジオ・システムは、ユーザ、即ち視聴者に、望ましくはデジタル可聴のラジオ及び／又はテレビ番組コンテンツ、又は、マルチメディアコンテンツを送信するいかなるシステムをも意味する。プログラム・コンテンツの送信は、地上及び／又は衛星支持のラジオ・ネットワーク等のワイヤレス、及び／又はブロードバンドのケーブル等のライン・バウンド等のいずれの所望の方法でも成され得る。
【００１８】
入ってくる音響データストリームＡは、まず最初は、音響サンプル認識システム２に転送される。これは、図１に図示する実施例では、音声認識システムである。音声認識システム２は、音声認識プロセッサ３を有し、該プロセッサは、音響データストリームＡから到着する特定の音響データサンプルＡＭを認識し、続いて、音声認識システム２の第2の部分、解釈ユニット４に転送する。解釈ユニット４は、音響データサンプルＡＭ（この場合は認識された音声又は声のコマンド）を解釈し、それらに特定の制御コマンドＳＤ，ＳＴを割り当てる。
【００１９】
音声認識システム２は、音響装置１の制御装置１０の構成部品として図示される。かかる制御装置１０は、音声認識システムの解釈ユニット４によって決定された制御コマンドＳＤ，ＳＴを、個別に制御可能な構成部品７及び８に適切な形状に転換し、これらの制御構成要素ＳＤ，ＳＴを個別の構成部品７及び８に転送する。懇請部品７及び８は、続いて、手コマンドに対して適切に反応する。
【００２０】
本実施例では、構成部品７は通常のディスプレイ７である。ディスプレイ７に送られた制御データＳＤに基き、ディスプレイ７は特定の情報を示す。他方の構成部品８は、キーボード又はソフトキー等のユーザ・インターフェースであり、制御コマンドＳＴを活用してプログラムされる。
【００２１】
制御装置１０及び特には音声認識システム２は、音響装置１の中央処理ユニット等のコンピュータ・ユニットで、夫々ソフトウェア又はソフトウェア・モジュールの形式で全体的又は部分的に実施され得る。音響装置は、中央処理ユニット又は同様のもののソフトウェア・モジュールを活用して既に制御され、十分なコンピューティング容量が使用可能である場合、音響データサンプルを用いて遠隔制御用のかかる音声認識システムを追加的に備えられ得る。しかしながら、続いて要求は、受信した音響データストリームＡは、プロセッサ又は音声認識システムに与えられ得る。
【００２２】
音響データＡは、制御装置１０によってループされ、制御コマンドを有し、音響データサンプルＡＭを除去した後、要求に応じてここでは簡単なラウドスピーカ９である出力装置を介して再度部分的に出力される。あるいは、装置によっては、レシーバ６の出力と音響装置１のラウドスピーカ側の出力との間のつながりを破線によって示す通り、受信された音響データストリームＡの直接出力は恒久的な特性として兼ね得る。
【００２３】
図１に図示する構成部品のほかに、かかる音響装置１は、明らかに音響装置に通例はある更なる構成部品も有する。しかしながら、これらは、簡易に示すように図示されない。
【００２４】
望ましくは、音声認識システム２は、初期的には、特定のキーワード又は文章にのみ反応し、これらのキーワードを認識するにあたってのみ制御コマンドとして続く音声データを解釈する。かかる制御コマンドのシーケンスは、再度、他のキーワード又重要な文章によって完了され得る。この利点は、音声認識システム２は、常にすべてにおいてアクティブである必要はないが、可能なキーワード又は重要な文章と比較することのみは実行される必要があることである。これはまた、所望されない誤ったプログラミングがある可能性を低減させる。
【００２５】
図２は、図１に図示する通り、音響装置の制御用の制御装置１７に関する可能な実施例を図示する。送信システムの一部にインストールされ得る。
【００２６】
制御コマンドＳに対応して音響データサンプルＡＭを生成するにあたり、かかる制御装置１７は、一方で、制御コマンド生成器１１を有する。制御コマンドＳが例えばキーボード又は非音響形式の表現での他のユーザ・インターフェースを用いて生成され得る。これらの制御コマンドＳは、音響シンセサイザ（本場合は、音声シンセサイザ１２）に伝達され、該シンセサイザは、のちに音響装置１で所望のローカルの作用に繋がる音声データサンプルを生成する。
【００２７】
続いて、かかる音声データサンプルＡＭは、シミュレータ１４に転送される。シミュレータ１４は、音声認識システム１８を有し、音声装置１で音声認識システム２に類似して作動し、制御コマンド生成器１１の操作者に音響装置１が所望する作用に繋がるか否かを示す。
【００２８】
音響データサンプルＡＭが確認されると、それはインテグレータ１５に転送される。インテグレータ１５は、音響データサンプルＡＭを音声データストリームＡに組み込む。かかる音響データストリームＡは、続いて、送信ユニット１６を介してユーザ又は音響装置１に送信される。あるいは、本場合の音響データサンプルＡＭは、自然言語であるため、マイクロフォン１３を用いて直接入力され得る。スピーカは、その場合、対応するコマンドを知るよう、また、音響装置１又は音声認識システム２によってコマンドがどのように解釈される、関係するコマンドによってどの作用が引き起こされるかを知るよう、要求される。望ましくは、マイクフォン１３を介した音声コマンドの入力は、音響データストリームに組み込まれる前にシミュレータ１４で事前に試験されるべきである。
【００２９】
あるいは、シミュレータ１４は、別個の装置として使用することも可能である。スピーカは、まず最初にマイクロフォン１３を介してシミュレータ１４に音声コマンドＡＭを直接入力し、そこで試験をすることが出来る。例えばラジオ放送又は情報番組等の特定の音響コンテンツを作成する時点で、適切な音声コマンドの形式で音響サンプルＡＭを組み込むこともまた可能である。続いて、音響コンテンツ中の関連する場所は、シミュレータ１４を用いて少なくとも試験され得、続いて、含有制御コマンドＳを有する終了したコンテンツは、送信装置１６を介して送信され得る。
【００３０】
不完全な話し言葉を介した誤ったプログラミングを避けるよう、音響コンテンツ全体は、望ましくは、送信される前にシミュレータ１４で確認される。生放送は、望ましくは短い遅れを伴って送信されるべきであり、シミュレータ設備１４での事前の確認も可能であるようにされる。さもなくば、望ましい実施例の場合、適切なキーワードを使用することによって遠隔制御機能を完全に停止することも可能であり、特定のキーワードを入力することで簡単に再作動され得るようにする。
【００３１】
動作の方法は、図３を参照して再度説明される。第１の段階では、音響データサンプルＡＭが送信システムの一部で生成される。続いてこの音響データサンプルは、音響データストリームに挿入れされる。音響データサンプルの生成は、音響コンテンツ全体又は完全な音響データストリームの作成と同時に成され得る。音響データストリームは、送信システムにわたって個別の音響装置に送信される。音響装置１が音響データストリームを受信した後、システムは、音声認識システム２内で特定の音響データサンプルを認識しようとする。認識された音響データサンプルは、解釈ユニットを利用して制御データに転換される。図３の図示される実施例では、かかる制御データは、複数の操作オプションに関する解釈の時点で見直される。
【００３２】
一例を挙げると、制御データは、制御コマンドに対応する音響データサンプルは、音響データサンプルをユーザに送信する前に選別されるか否かを見るよう確認される。その場合、音響データサンプルはともに送信されない。さもなくば、音響データサンプルは、音響データストリーム内でユーザに聴覚上送信される。
【００３３】
更に、制御データが音響装置のディスプレイの制御をもたらすようにされているか否かが、確認される。その場合は、従って、ディスプレイは、ディスプレイ上に情報を出力する等して修正される。さもなくば、ディスプレイは変更されないまま残る。
【００３４】
ユーザ・インターフェースに関しての他の確認がなされる。ユーザ・インターフェースの再プログラミングが制御データを用いて行なわれる場合、適切なプログラミングが、ユーザ・インターフェース上で行なわれる。即ち、特定のキー又はキーの組合せが、例えば、特定の機能を与えられる。さもなくば、ユーザ・インターフェースは変更されないまま残る。
【００３５】
原理上は、これら全ての試験は、繋がらせることが可能でもある。そのため、例えば、制御データを有する音響データサンプルを有する全ての音響データは、常に出力されることができる。
【００３６】
かかる実施例から明確である通り、本発明が与えるのは、特別なデータチャンネル又は他のコード化を必要とせずに、音響コンテンツ提供側で簡単に音響装置を制御又はプログラミングする可能性である。要求されるのは、自然に話された言語の形式で制御コマンドを形成することのみである。
【００３７】
従って、本発明は、双方向ラジオ番組の実現にも特に適切である。双方向ラジオ番組では、個別の視聴者が番組の規格に積極的に参加するチャンスを有する。
【００３８】
これに関する一例は、特定の投稿が応答を見つけるか否かの聴取者調査である。続いて、例えば、番組の提供の最後に送信され得る文章は次の通りである：「聴取者調査について次のキーの組合せを使ってください：キー１は「はい」、キー２は「いいえ」です。では押してください。」例えば、「キー割当て」という用語はがキーワードであり、それが音響装置の音声認識システムによって認識される。それによって音響データストリームの次の部分がより正確に検査される。認識された音響データサンプルのキー１「はい」、キー２「いいえ」は、制御コマンドとして認識される。続いて、対応する制御データが生成され、音響装置のキーボードに送信される。「１」とされた特定のキーは、機能を割り当てられ、かかるキーを押すと、「はい」という信号に対応する信号レポートが、帰路チャンネルを介して音響コンテンツ提供側に送信される。同時に、「２」とされたキーは、機能を割り当てられ、このキーを押すと、適切な「いいえ」という信号が戻される。「では押してください」という文章は、主要な文章として認識され、音響装置に、実際の制御コマンドが終了され次の音響データは遠隔制御用ではない又は遠隔プログラミング用ではないことを知らせる。しかし、これは、むしろ通常の音響データに関係するものであり、ユーザに送信されるべきものではない。
【００３９】
他の可能性は、本発明を、双方向テレビドラマに使用することである。双方向テレビドラマでは、視聴者が物語の進行についての決定に貢献することができる。故に、視聴者は、テレビドラマの途中で、特定のキー又はキーの組合せを押すよう刺激され得、物語は特定の方法で進む。この刺激は、音声認識システムで同時に認識及び解釈されるか、キーボードを使用することによって装置でプログラムされる。該キーボードは、システムが、対応するキーの組合せを押して特定のチャンネルへ切替え、所望されたバージョンで物語の残りが放送される。
【００４０】
結論としては、明細書及び図面に示された方法、音響装置、又は放送制御装置は、単なる実施例であり、当業者は本発明の範囲を逸脱することなく広範囲にわたって変更することができる。故に、更なる方法の段階が詳細に説明された工程に追加され得る。更に、図面に別個に図示された機能的な構成部品は、例えば、制御コマンド生成器及びシミュレーション設備であり、原理上は１つの単一なプロセッサ又は他の共通のユニットで実現され得る。網羅性のために、単数形の使用は、関係する特性の複数の存在を除外するものではなく、「有する」という用語は、他の構成要素又は段階の存在を除外するものではない。
【図面の簡単な説明】
【００４１】
【図１】本発明に従った音響装置の単純化された概略ブロック回路図である。
【図２】図１に図示された本発明に従った音響装置の制御に関する概略的ブロック回路図である。
【図３】音響データサンプルの送信及び解釈を図解するフローチャートである。
【図１】
2006524357.tif 000003
【図２】
2006524357.tif 000004
【図３】
2006524357.tif 000005
【国際調査報告】
2006524357.tif 000006
2006524357.tif 000007